(57)【要約】      （修正有）【課題】ハウジングに配線板状部材が挿入されるコネクタ装置であって、ハウジングへの挿入が完了した配線板状部材におけるハウジング外に配される部分についての煽り変位がもたらす悪影響を効果的に軽減することができるものを提供する。【解決手段】ハウジング１３における板状部材差込み部を挟む両端部に夫々配され、板状部材差込み部を通じてハウジング１３に挿入されたフレキシブル配線基板１２の接続端子配列方向における一対の側縁部のうちの一つに係合する係合係止部４３；４５が各々に設けられて、ハウジング１３に挿入されたフレキシブル印刷配線基板１２におけるハウジング１３内に配された端子端部についてのフレキシブル印刷配線基板１２におけるハウジング外に配された回路構成部５７の煽り変位に起因する不所望な変形を、係合係止部４３，４５により軽減するものとされた固定金属部材２０，２１を備える。【選択図】図５
2017059352.tif 000002
【特許請求の範囲】
【請求項１】
配線板状部材が差し込まれる板状部材差込み部が設けられて配線基板に配されるハウジングと、
該ハウジングに配列配置されて、上記配線基板に設けられた配線端子に連結される状態をとり、上記配線板状部材が上記板状部材差込み部を通じて上記ハウジングに挿入されたとき、該配線板状部材における上記ハウジング内に配された部分に配列配置された複数の接続端子部に接触接続される複数のコンタクトと、
上記ハウジングにおける上記板状部材差込み部を挟む上記複数のコンタクトの配列方向の両端部に夫々配され、上記板状部材差込み部を通じて上記ハウジングに挿入される上記配線板状部材における上記複数の接続端子部の配列方向における一対の側縁部のうちの一つに係合する係合係止部が各々に設けられて、上記ハウジングに挿入された上記配線板状部材における上記ハウジング内に配された部分についての上記配線板状部材における上記ハウジング外に配された部分の煽り変位に起因する不所望な変形を、上記係合係止部により軽減するものとされた一対の固定金属部材と、
を備えて構成されるコネクタ装置。
【請求項２】
上記固定金属部材に設けられた上記係合係止部が、上記配線板状部材の上記側縁部における上記配線板状部材の厚み方向において相互対向する一対の面の一方に当接して、上記側縁部の浮上り変位を規制するものとして形成されることを特徴とする請求項１記載のコネクタ装置。
【請求項３】
上記固定金属部材に設けられた上記係合係止部が、上記配線板状部材の上記側縁部において突出片部を成すものとされた被係合部に係合することを特徴とする請求項１記載のコネクタ装置。
【請求項４】
上記固定金属部材が、上記係合係止部に加えて、上記配線基板に固定される基板取付部が設けられていて、上記ハウジングの上記配線基板への実装に寄与するものとされていることを特徴とする請求項１記載のコネクタ装置。
【請求項５】
上記ハウジングにおける上記板状部材差込み部を挟む上記複数のコンタクトの配列方向の両端部の夫々に、上記固定金属部材に設けられた係合係止部から上記配線板状部材の上記板状部材差込み部への差込み方向に離隔した位置をもって、上記配線板状部材の上記側縁部に係合するものとされた溝部が形成されていることを特徴とする請求項１記載のコネクタ装置。
【請求項６】
上記一対の固定金属部材のうちの一方の係合係止部が上記配線板状部材における上記一対の側縁部のうちの一方に係合する部位と上記一対の固定金属部材のうちの他方の係合係止部が上記配線板状部材における上記一対の側縁部のうちの他方に係合する部位とを結ぶ仮想線が、上記複数のコンタクトが上記配線板状部材の上記ハウジング内に配された部分に配列配置された複数の接続端子部に接触接続される部位より、上記ハウジングにおける上記板状部材差込み部の外方側に位置することを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、その配線板状部材に設けられた接続端子部を他の配線基板に電気的に接続された状態とするため、装着された配線板状部材に設けられた接続端子部に接触接続されるコンタクトを備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接続端子部に接触接続される導電性のコンタクトを有していて、そのコンタクトを介して、配線板状部材に設けられた接続端子部を主配線基板に設けられた配線部における端子に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部が設けられたものとされて主配線基板に配される絶縁材料によって形成されたハウジングを有し、そのハウジング内に配列配置されて主配線基板に設けられた配線端子に連結され、配線板状部材が差込み部を通じてハウジングに挿入されたとき、その配線板状部材に設けられた複数の接続端子部に夫々接触接続されるものとなる複数のコンタクトを備えたものとされる。また、従来提案されている配線板状部材の主配線基板への取付けに用いられるコネクタ装置の中には、上述のようなハウジング及び複数のコンタクトに加えて、外部からの電磁波ノイズに対するシールド効果を得るために、ハウジングを部分的もしくは全体的に覆うものとして配されて主配線基板に設けられた接地端子に連結される導電性シェル、さらには、ハウジングに対して回動可能に設けられ、複数のコンタクトの夫々に係合して、回動せしめられるとき複数のコンタクトの夫々における作動部を変位させ、それにより、複数のコンタクトに、配線板状部材に設けられた複数の接続端子部に夫々接触接続された状態、あるいは、複数の接続端子部との接触接続から解放された状態をとらせるアクチュエータとを備えたものもある。
【０００４】
このような従来提案されているコネクタ装置にあっては、例えば、フレキシブル印刷配線基板とされる配線板状部材が、主配線基板に配されたハウジングに差込み部を通じて挿入されて、ハウジング内に配された複数のコンタクトが、ハウジングに挿入された配線板状部材における複数の接続端子部に夫々接触接続され、それにより、配線板状部材が主配線基板との電気的接続状態におかれるにあたり、配線板状部材のハウジングに設けられた差込み部を通じてのハウジングへの挿入が、配線板状部材が適正な姿勢をもってハウジング内における適正な位置に配されるべく行われなくてはならない。当然のことながら、ハウジング内に配された複数のコンタクトがハウジングに挿入された配線板状部材における複数の接続端子部に夫々接触接続された状態が適正に維持されるためには、ハウジングに差込み部を通じて挿入される配線板状部材が、ハウジング内において複数の接続端子部を複数のコンタクトに夫々対応する位置に配するための姿勢と位置とをとることが必要とされるのである。
【０００５】
そのため、上述のような、配線板状部材が差し込まれる差込み部が設けられたハウジングを有し、ハウジング内に配列配置された複数のコンタクトを備えたコネクタ装置であって、差込み部を通じてハウジングに挿入される配線板状部材に対する移動案内手段をハウジング内に設け、その移動案内手段によって、配線板状部材についての差込み部を通じたハウジングへの挿入にあたり、配線板状部材が適正な姿勢をもってハウジング内における適正な位置に配されるようにすることを試みたものが従来提案されている（例えば、特許文献１参照。）。
【０００６】
特許文献１に示されるコネクタ装置にあっては、複数のコンタクト（端子(30)) が配列配置された合成樹脂の成型品から成るハウジング（コネクタ本体(10)) が備えられており、このハウジングにおける差込み部（挿入口(10a))及びそれに連なる内部空間を挟んで相互対向する一対の側壁部分の夫々の内面部に、ガイド溝(10b) が差込み部からハウジング内の後方に向かって伸びるものとして形成されている。斯かるガイド溝(10b) は、差込み部を通じてハウジングに挿入される配線板状部材（フレキシブル回路(1))に対する移動案内手段を構成するものとされている。
【０００７】
斯かるもとで、配線板状部材が差込み部を通じてハウジングに挿入されるときには、配線板状部材の幅方向、即ち、複数のコンタクトの配列方向における両端が、ハウジングにおける一対の側壁部分に夫々形成されたガイド溝(10b) に係合して当該ガイド溝(10b) によって案内される状態におかれる。そして、差込み部に差し込まれた配線板状部材は、その幅方向における両端が一対のガイド溝(10b) によって案内されるもとで、その差込み方向の先端がガイド溝(10b) の後端に当接するまでハウジング内に挿入されて、配線板状部材におけるハウジング内に配された部分に設けられた複数の接続端子部（信号線用導電部）に複数のコンタクトの接触部(32a) が夫々押圧接触する。
【０００８】
このように、配線板状部材が、その幅方向における両端がハウジングに形成された一対のガイド溝(10b) によって夫々案内されるもとで、差込み部を通じてハウジングに挿入されることにより、配線板状部材についての差込み部を通じたハウジングへの挿入にあたり、配線板状部材が適正な姿勢をもってハウジング内における適正な位置に配されるようにされることを期待することができる。
【先行技術文献】
【特許文献】
【０００９】
【特許文献１】特開２０１４−２２２１４号公報
【発明の概要】
【発明が解決しようとする課題】
【００１０】
上述のような、フレキシブル印刷配線基板等の配線板状部材の主配線基板への取付けに用いられるコネクタ装置であって、差込み部を通じてハウジングに挿入される配線板状部材に対する移動案内手段を備えたものとして従来提案されているコネクタ装置にあっては、配線板状部材についての差込み部を通じたハウジングへの挿入が完了したとき、配線板状部材の全部がハウジングの内部に配されるのではなく、配線板状部材の一部分あるいは大部分がハウジングの外部に配される状態がとられる。即ち、差込み部を通じたハウジングへの挿入が完了した配線板状部材は、その一部分あるいは大部分が差込み部からハウジング外に突出するものとされてハウジングの外部に配されるのである。
【００１１】
そして、コネクタ装置がそのハウジングに配線板状部材が挿入されて実際の使用に供されるにあたり、差込み部を通じたハウジングへの挿入が完了した配線板状部材におけるハウジングの外部に配された部分 (以下、ハウジング外突出部分という。）は、それをその厚み方向に変形移動させる変位 (以下、煽り変位という。）を生じさせようとする外力が加えられる状態におかれることが少なくない。そして、差込み部を通じたハウジングへの挿入が完了した配線板状部材におけるハウジング外突出部分に煽り変位を生じさせようとする外力が加えられると、当該ハウジング外突出部分が、ハウジングにおける差込み部の外面部分あるいはその近傍を支点部にした煽り変位を生じることになる。
【００１２】
このようにして、差込み部を通じたハウジングへの挿入が完了した配線板状部材におけるハウジング外突出部分がハウジングにおける差込み部の外面部分あるいはその近傍を支点にした煽り変位を生じると、それによる影響が、差込み部を通じたハウジングへの挿入が完了した配線板状部材におけるハウジング内に配された部分にも及んで当該部分を変形させ、斯かるハウジング内に配された部分に設けられた複数の接続端子部に対する複数のコンタクトの押圧接触が適正に行われなくなってしまう虞がある。即ち、差込み部を通じたハウジングへの挿入が完了した配線板状部材におけるハウジング外突出部分がハウジングにおける差込み部の外面部分あるいはその近傍を支点にした煽り変位を生じるものとされると、配線板状部材におけるハウジング内に配された部分が当該煽り変位に起因した不所望な変形を生じて、配線板状部材とコネクタ装置との電気的接続が適正に行われなくなり、その結果、コネクタ装置が配された配線基板に対する配線板状部材の取付けに支障が来されることになってしまうのである。
【００１３】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジング内に配列配置されて設けられる複数のコンタクトとを備えたコネクタ装置であって、配線板状部材が板状部材差込み部を通じてハウジングに挿入され、複数のコンタクトが配線板状部材における複数の接続端子部に夫々接触接続されて実用に供される際に、板状部材差込み部を通じたハウジングへの挿入が完了した配線板状部材におけるハウジング外突出部分が煽り変位を生じるものとされた場合にも、配線板状部材とコネクタ装置との電気的接続を適正に維持できて、コネクタ装置が配された配線基板に対する配線板状部材の取付けに支障が来される事態を回避できるものを提供する。
【課題を解決するための手段】
【００１４】
本願の特許請求の範囲における請求項１から請求項６までのいずれかに記載された発明（以下、本願発明という。）に係るコネクタ装置は、配線板状部材が差し込まれる板状部材差込み部が設けられて配線基板に配されるハウジングと、ハウジングに配列配置されて、配線基板に設けられた配線端子に連結される状態をとり、配線板状部材が板状部材差込み部を通じてハウジングに挿入されたとき、配線板状部材におけるハウジング内に配された部分に配列配置された複数の接続端子部に接触接続される複数のコンタクトと、ハウジングにおける板状部材差込み部を挟む複数のコンタクトの配列方向の両端部に夫々配され、板状部材差込み部を通じてハウジングに挿入される配線板状部材における複数の接続端子部の配列方向における一対の側縁部のうちの一つに係合する係合係止部が各々に設けられて、ハウジングに挿入された配線板状部材におけるハウジング内に配された部分についての配線板状部材におけるハウジング外に配された部分の煽り変位に起因する不所望な変形を、係合係止部により軽減するものとされた一対の固定金属部材と、を備えて構成される。
【００１５】
特に、本願の特許請求の範囲における請求項４に記載された本願発明に係るコネクタ装置にあっては、固定金属部材が、係合係止部に加えて、配線基板に固定される基板取付部が設けられていて、ハウジングの配線基板への実装に寄与するものとされている。
【００１６】
上述のような本願発明に係るコネクタ装置にあっては、ハウジングにおける板状部材差込み部を複数のコンタクトの配列方向において挟む両端部に、各々に係合係止部が設けられたものとされた一対の固定金属部材が夫々配されている。そして、一対の固定金属部材の夫々に設けられた係合係止部は、板状部材差込み部を通じてハウジングに挿入される配線板状部材における複数の接続端子部の配列方向における一対の側縁部のうちの一つに係合し、それにより、ハウジングに挿入された配線板状部材におけるハウジング内に配された部分が当該配線板状部材におけるハウジング外に配された部分の煽り変位に起因して生じる不所望な変形を軽減するものとされている。
【００１７】
このようなもとで、本願発明に係るコネクタ装置に、フレキシブル印刷配線基板やフレキシブル平板状ケーブル等とされる配線板状部材が装着される際には、配線板状部材が、配線基板に配されたハウジングに設けられた板状部材差込み部に差し込まれ、その後、板状部材差込み部を通じてハウジングに挿入される。そして、配線板状部材のハウジングへの挿入が完了すると、ハウジングに配列配置された複数のコンタクトが、配線板状部材に配列配置された複数の接続端子部に接触接続されて、配線板状部材とコネクタ装置との電気的接続が行われ、それにより配線板状部材とハウジングが配された配線基板とが電気的に連結されるとともに、ハウジングに設けられた一対の固定金属部材に夫々設けられた一対の係合係止部が、配線板状部材の複数の接続端子部の配列方向における一対の側縁部に夫々係合して、ハウジングに挿入された配線板状部材におけるハウジング内に配された部分が当該配線板状部材におけるハウジング外に配された部分の煽り変位に起因して生じる不所望な変形を軽減する状態におかれる。
【００１８】
一対の固定金属部材の夫々は、例えば、本願の特許請求の範囲における請求項４に記載された本願発明に係るコネクタ装置におけるもののように、係合係止部に加えて、ハウジングが配された配線基板に固定される基板取付部が設けられていて、ハウジングの配線基板への実装に寄与するものとされている。
【００１９】
一対の固定金属部材の夫々に設けられた係合係止部は、例えば、配線板状部材の側縁部におけるその厚み方向において相互対向する一対の面の一方に当接して、当該側縁部の浮上り変位を規制するものとして形成され、また、例えば、配線板状部材の側縁部において突出片部を形成するものとされた被係合部に係合するものとされる。
【００２０】
ハウジングにおける板状部材差込み部を複数のコンタクトの配列方向において挟む両端部の夫々は、例えば、固定金属部材に設けられた係合係止部から配線板状部材の板状部材差込み部への差込み方向に離隔した位置に、配線板状部材の側縁部に係合する溝部が形成されたものとされる。
【００２１】
さらに、本願発明に係るコネクタ装置にあっては、例えば、一対の固定金属部材のうちの一方の係合係止部が配線板状部材における一対の側縁部のうちの一方に係合する部位と一対の固定金属部材のうちの他方の係合係止部が配線板状部材における一対の側縁部のうちの他方に係合する部位とを結ぶ仮想線が、複数のコンタクトが配線板状部材のハウジング内に配された部分に配列配置された複数の接続端子部に接触接続される部位より、ハウジングにおける板状部材差込み部の外方側に位置するものとされる。
【発明の効果】
【００２２】
本願発明に係るコネクタ装置によれば、上述のように、配線板状部材の板状部材差込み部を通じたハウジングへの挿入が完了すると、ハウジングに設けられた一対の固定金属部材に夫々設けられた一対の係合係止部が、配線板状部材の複数の接続端子部の配列方向における一対の側縁部に夫々係合して、ハウジングに挿入された配線板状部材におけるハウジング内に配された部分が当該配線板状部材におけるハウジング外に配された部分の煽り変位に起因して生じる不所望な変形を軽減する状態におかれる。それにより、ハウジングに挿入された配線板状部材におけるハウジング外に配された部分（ハウジング外突出部分）が板状部材差込み部の外面部分あるいはその近傍を支点にした煽り変位を生じた場合においても、その煽り変位に起因して配線板状部材におけるハウジング内に配された部分にもたらされる不所望な変形が軽減され、その結果、配線板状部材とコネクタ装置との電気的接続を適正に維持できて、コネクタ装置が配された配線基板に対する配線板状部材の取付けに支障が来される事態を回避できることになる。
【００２３】
また、ハウジングにおける板状部材差込み部を複数のコンタクトの配列方向において挟む両端部の夫々における、固定金属部材に設けられた係合係止部から配線板状部材の板状部材差込み部への差込み方向に離隔した位置に、配線板状部材の側縁部に係合する溝部が形成されていて、固定金属部材に設けられた係合係止部とハウジングの端部に形成された溝部との両者が、ハウジングに挿入された配線板状部材の側縁部に係合する場合には、ハウジングに挿入された配線板状部材におけるハウジング内に配された部分が当該配線板状部材におけるハウジング外突出部分の煽り変位に起因して生じる不所望な変形の低減をより一層効果的かつ確実に行うことができる。
【図面の簡単な説明】
【００２４】
【図１】本願発明に係るコネクタ装置の一例をそれが固着された配線基板及びそれに装着されるフレキシブル印刷配線基板と共に示す斜視図である。
【図２】本願発明に係るコネクタ装置の一例をそれに装着されるフレキシブル印刷配線基板と共に示す平面図である。
【図３】本願発明に係るコネクタ装置の一例に備えられる固定金属部材を示す斜視図である。
【図４】本願発明に係るコネクタ装置の一例におけるハウジングへのフレキシブル印刷配線基板の挿入が完了した状態を示す斜視図である。
【図５】本願発明に係るコネクタ装置の一例におけるハウジングへのフレキシブル印刷配線基板の挿入が完了した状態を示す平面図である。
【図６】本願発明に係るコネクタ装置の一例におけるハウジングへのフレキシブル印刷配線基板の挿入が完了した状態を示す側面図である。
【図７】図５における VII−VII 線断面を示す断面図である。
【図８】本願発明に係るコネクタ装置の一例におけるハウジングへのフレキシブル印刷配線基板の挿入が完了したもとでアクチュエータが回動操作された状態を示す斜視図である。
【図９】本願発明に係るコネクタ装置の一例におけるハウジングに挿入されたフレキシブル印刷配線基板が煽り変位を生じた状態を示す部分斜視図である。
【図１０】本願発明に係るコネクタ装置の一例におけるハウジングへのフレキシブル印刷配線基板の挿入が完了したもとでアクチュエータが回動操作された状態を示す断面図である。
【発明を実施するための形態】
【００２５】
本願発明を実施するための形態は、以下に述べられる本願発明についての実施例をもって説明される。
【実施例】
【００２６】
図１（斜視図）は、本願発明に係るコネクタ装置の一例を成すコネクタ装置１０を、それが固着された配線基板１１及びそれに装着される配線板状部材を成すフレキシブル印刷配線基板１２と共に示し、また、図２（平面図）は、コネクタ装置１０をそれに装着されるフレキシブル印刷配線基板１２と共に示す。
【００２７】
図１及び図２において、コネクタ装置１０は、合成樹脂等の絶縁材料によって形成され、電子機器等の配線基板に配されるハウジング１３を備えている。ハウジング１３には、その正面側端縁部に、フレキシブル印刷配線基板１２が差し込まれる状態がとられる板状部材差込み部１４が設けられており、板状部材差込み部１４からハウジング１３の内部へと板状部材収容部１５（後述される図７及び図１０に示されている。）が拡がっている。即ち、ハウジング１３には、その内部に、板状部材収容部１５が板状部材差込み部１４に連結されたものとして設けられていて、板状部材差込み部１４を通じてハウジング１３に挿入されたフレキシブル印刷配線基板１２が板状部材収容部１５に部分的に収容されるのである。そして、ハウジング１３は、図１及び図２において矢印Ｌにより示される方向を長手方向とするものとされている。
【００２８】
また、ハウジング１３には、各々が弾性導電材料で形成された複数の第１のコンタクト１６と各々が弾性導電材料で形成された複数の第２のコンタクト１７とが、ハウジング１３の長手方向に沿う方向において交互に配される状態のもとに配列配置されて設けられている。複数の第１のコンタクト１６の夫々は、その大部分がハウジング１３の内部に収容されたものとされているが、図２に示されるように、一端部がハウジング１３における正面側端縁部に対向する背面側端縁部からその外部に突出して接続端子部１６ａを形成している。また、複数の第２のコンタクト１７の夫々も、その大部分がハウジング１３の内部に収容されたものとされているが、図１及び図２に示されるように、一端部がハウジング１３における正面側端縁部からその外部に突出して接続端子部１７ａを形成している。
【００２９】
コネクタ装置１０が実用に供される際には、ハウジング１３が、電子機器等の配線基板１１に取り付けられるが、ハウジング１３における長手方向である複数の第１のコンタクト１６及び複数の第２のコンタクト１７の配列方向（以下、コンタクト配列方向という。）の一対の端部１８及び１９（両端部）には、板状部材差込み部１４を挟んで一対の固定金属部材２０及び２１が夫々配されている。これらの一対の固定金属部材２０及び２１は、ハウジング１３が配線基板１１に取り付けられるにあたって配線基板１１に固定され、ハウジング１３の配線基板１１への実装に寄与する。
【００３０】
さらに、ハウジング１３における背面側端縁部側には、コンタクト配列方向、即ち、ハウジング１３の長手方向に沿って伸び、その長手方向がハウジング１３の長手方向に一致することになるアクチュエータ２５が、ハウジング１３に対して回動可能に設けられている。このアクチュエータ２５は、図１及び図２に示されるような、ハウジング１３に対して起き上がった状態におかれるものとされる位置を、第１の静止位置としてとることができ、また、後述される図８〜図１０に示されるような、ハウジング１３に対して伏した状態におかれるものとされる位置を、第２の静止位置としてとることができて、回動操作されることにより、第１の静止位置から第２の静止位置への移行、あるいは、第２の静止位置から第１の静止位置への移行を行うものとされている。
【００３１】
アクチュエータ２５は、全体として、板状体を成すものとされており、斯かるアクチュエータ２５には、その長手方向に沿って配列配置された複数の透孔２６が形成されている。これらの透孔２６の夫々は、アクチュエータ２５がハウジング１３に対して回動可能に設けられて第１の静止位置をとるとき、ハウジング１３に配列配置されて交互に配された複数の第１のコンタクト１６及び複数の第２のコンタクト１７の夫々におけるハウジング１３の背面側端縁部側の端部が貫通するものとされている。そして、複数の透孔２６の夫々の内部には、アクチュエータ２５がハウジング１３に対して回動可能に設けられたもとで、ハウジング１３に配列配置されて交互に配された複数の第１のコンタクト１６及び複数の第２のコンタクト１７の夫々におけるハウジング１３の背面側端縁部側の端部に係合するカム部２７（図７及び図１０に示されている。）が、例えば、楕円状の断面形状を有するものとして設けられている。従って、アクチュエータ２５には、その長手方向に沿って複数のカム部２７が配列配置されて設けられていることになる。
【００３２】
ハウジング１３に配列配置されて設けられた複数の第１のコンタクト１６の夫々は、後述される図７及び図１０に示されるように、金属板材等の弾性導電材料で形成された、全体として「エ」字状を成す板状部材とされている。このような「エ」字状とされた第１のコンタクト１６にあっては、連結部３５によって相互連結された一対のビーム部３６及び３７のうち、ビーム部３６がハウジング１３に固定される固定部とされて、ビーム部３７が作動部とされる。そして、固定部を成すビーム部３６の板状部材差込み部１４側の部分と作動部を成すビーム部３７の板状部材差込み部１４側の部分とは、ハウジング１３の厚み方向において相互対向するものとされてハウジング１３内の板状部材収容部１５に配されている。固定部を成すビーム部３６におけるハウジング１３の背面側端縁部側の端部は、ハウジング１１の背面側端縁部からその外部に導出されて接続端子部１６ａを成すものとされており、ハウジング１３が配される配線基板１１に設けられた配線部に接続される。
【００３３】
また、ハウジング１３に配列配置されて設けられる複数の第２のコンタクト１７の夫々も、図示が省略されているが、金属板材等の弾性導電材料により第１のコンタクト１６と同様に形成されており、全体として「エ」字状を成す板状部材とされている。このような「エ」字状とされた第２のコンタクト１７にあっても、第１のコンタクト１６と同様に、連結部によって相互連結された一対のビーム部のうちの一方がハウジング１３に固定される固定部とされて他方が作動部とされる。固定部を成すビーム部の板状部材差込み部１４側の部分と作動部を成すビーム部の板状部材差込み部１４側の部分とは、ハウジング１３の厚み方向において相互対向するものとされてハウジング１３内の板状部材収容部１５に配されている。そして、固定部を成すビーム部における板状部材差込み部１４側の端部は、ハウジング１３の正面側端縁部からその外部に導出されて接続端子部１７ａを成すものとされており、ハウジング１３が配される配線基板１１に設けられた配線部に接続される。
【００３４】
斯かるもとで、ハウジング１３に対して回動可能に配されたアクチュエータ２５に配列配置されて設けられた複数のカム部２７のうちの一つおきのものが、図７及び図１０に示されるように、複数の第１のコンタクト１６のうちの対応するものにおけるビーム部３６の接続端子部１６ａを成す端部の近傍となる部分３６ａとそれに対向するビーム部３７の端部３７ａとに挟まれていて、アクチュエータ２５の回動に伴って回動する状態におかれ、また、複数のカム部２７のうちの他の一つおきのものが、複数の第２のコンタクト１７のうちの対応するものにおける固定部を成すビーム部のハウジング１３の背面側端縁部側の端部の近傍となる部分とそれに対向する作動部を成すビーム部のハウジング１３の背面側端縁部側の端部とに挟まれていて、アクチュエータ２５の回動に伴って回動する状態におかれる。
【００３５】
ハウジング１３における長手方向の両端部である一対の端部１８及び１９に夫々配された一対の固定金属部材２０及び２１のうちの固定金属部材２０は、金属板材に打抜き加工が施されて形成されていて、図３に単独で示されるように、ハウジング１３に固定される本体部４１と、本体部４１の一端に設けられた基板接続部４２と、本体部４１の他端に設けられた係合係止部４３と、本体部４１の両端間における中間部から突出する係合部４４とが設けられている。係合係止部４３は、固定金属部材２０がハウジング１３の端部１８に配されたもとで、本体部４１の他端からコンタクト配列方向に沿ってハウジング１３の外方に向かって突出するものとされている。また、一対の固定金属部材２０及び２１のうちの固定金属部材２１も、金属板材に打抜き加工が施されて、固定金属部材２０と対称体を成すものとして形成されており、固定金属部材２０における本体部４１，基板接続部４２，係合係止部４３及び係合部４４に夫々相当する本体部，基板接続部，係合係止部４５及び係合部が設けられている。そして、図１に示されるように、係合係止部４５は、固定金属部材２１がハウジング１３の端部１９に配されたもとで、金属部材２１の本体部からコンタクト配列方向に沿ってハウジング１３の外方に向かって突出するものとされている。これら固定金属部材２０及び２１に夫々に設けられた係合係止部４３及び４５は、板状部材差込み部１４を通じてハウジング１３に挿入されたフレキシブル印刷配線基板１２に係合する。
【００３６】
固定金属部材２０がハウジング１３の端部１８に配されたもとにあっては、固定金属部材２０の本体部４１がハウジング１３の長手方向に直交する方向に伸びる状態におかれる。斯かるもとにおいて、固定金属部材２０の係合部４４がハウジング１３の端部１８に設けられた孔部に圧入係合するものとされて、固定金属部材２０の全体がハウジング１３の端部１８に固定される。また、固定金属部材２１がハウジング１３の端部１９に配されたもとにあっては、固定金属部材２１の本体部がハウジング１３の長手方向に直交する方向に伸びる状態におかれる。斯かるもとにおいて、固定金属部材２１の係合部がハウジング１３の端部１９に設けられた孔部に圧入係合するものとされて、固定金属部材２１の全体がハウジング１３の端部１９に固定される。
【００３７】
このようにして、一対の端部１８及び１９に固定金属部材２０及び２１が夫々配されたハウジング１３が配線基板１１に取り付けられる際には、固定金属部材２０における本体部４１の一端に設けられた基板接続部４２及び固定金属部材２１における本体部の一端に設けられた基板接続部の夫々が、例えば、半田付けによって配線基板１１に接続されて固定され、それにより、ハウジング１３の全体が配線基板１１に固定される。
【００３８】
さらに、図１に示されるように、固定金属部材２０が配されたハウジング１３の端部１８には、固定金属部材２０における係合係止部４３からフレキシブル印刷配線基板１２のハウジング１３における板状部材差込み部１４への差込み方向に離隔した位置をとる部分に、板状部材差込み部１４を通じてハウジング１３に挿入されたフレキシブル印刷配線基板１２に係合するものとされた溝部４６が形成されている。また、図には現れていないが、固定金属部材２１が配されたハウジング１３の端部１９にも、固定金属部材２１における係合係止部４５からフレキシブル印刷配線基板１２のハウジング１３における板状部材差込み部１４への差込み方向に離隔した位置をとる部分に、板状部材差込み部１４を通じてハウジング１３に挿入されたフレキシブル印刷配線基板１２に係合するものとされた溝部が形成されている。
【００３９】
板状部材差込み部１４を通じてハウジング１３に挿入されるフレキシブル印刷配線基板１２には、その一端部において、複数の第１の接続端子部５１と複数の第２の接続端子部５２とが、ハウジング１３に対する板状部材差込み部１４を通じた差込みまたは抜出し方向に直交する方向において交互に配される状態のもとに配列配置されている。そして、複数の第１の接続端子部５１と複数の第２の接続端子部５２とが配列配置されたフレキシブル印刷配線基板１２の一端部は端子端部５３を構成しており、端子端部５３は、複数の第１の接続端子部５１と複数の第２の接続端子部５２との配列方向（以下、接続端子配列方向という。）に伸びる先端部５４を形成している。また、フレキシブル印刷配線基板１２における接続端子配列方向において端子端部５３を挟んで相互対向する一対の側縁部には、各々が突出片部を成す一対の被係合部５５及び５６が夫々形成されている。さらに、フレキシブル印刷配線基板１２にあっては、端子端部５３及び一対の被係合部５５及び５６に連なって回路構成部５７が広がっている。
【００４０】
このようなフレキシブル印刷配線基板１２に対応して、コネクタ装置１０にあっては、ハウジング１３に配列配置されて設けられた複数の第１のコンタクト１６が、フレキシブル印刷配線基板１２に配列配置された複数の第１の接続端子部５１に夫々接触接続される信号用コンタクトとして設けられており、また、ハウジング１３に配列配置されて設けられた複数の第２のコンタクト１７が、フレキシブル印刷配線基板１２に配列配置された複数の第２の接続端子部５２に夫々接触接続される信号用コンタクトとして設けられている。但し、複数の第１のコンタクト１６及び複数の第２のコンタクト１７は、フレキシブル印刷配線基板１２とは別の他のフレキシブル印刷配線基板における複数の信号接続端子部及び接地接続端子部に接触接続される信号用及び接地用コンタクトとして用いられてもよい。
【００４１】
コンタクト配列方向を長手方向とするハウジング１３は、板状部材差込み部１４を通じたフレキシブル印刷配線基板１２の挿入または抜脱方向を奥行き方向とし、その長手方向及び奥行き方向に直交する方向を厚み方向とするものとされる。そして、フレキシブル印刷配線基板１２は、板状部材差込み部１４を通じてハウジング１３に差し込まれるにあたっては、その端子端部５３における複数の第１の接続端子部５１及び複数の第２の接続端子部５２が配された面及びそれに対向する面が、ハウジング１３の厚み方向において相互対向する状態におかれる。
【００４２】
続いて、図４（斜視図），図５（平面図）及び図６（側面図）に示されるように、コネクタ装置１０においてアクチュエータ２５が第１の静止位置をとる状態のもとで、図１に示されるフレキシブル印刷配線基板１２が、その端子端部５３をもって、ハウジング１３における板状部材差込み部１４に差し込まれ、板状部材差込み部１４を通じてハウジング１３にその奥行き方向に沿って挿入される。そして、フレキシブル印刷配線基板１２における端子端部５３が形成する先端部５４が、例えば、複数の第１のコンタクト１６の夫々における連結部３５及び複数の第２のコンタクト１７の夫々における連結部に当接する所定の位置に達したとき、フレキシブル印刷配線基板１２のハウジング１３への挿入が完了せしめられる。
【００４３】
フレキシブル印刷配線基板１２のハウジング１３への板状部材差込み部１４を通じた挿入が完了すると、図５における VII−VII 線断面を示す図７に示されるように、フレキシブル印刷配線基板１２の端子端部５３が、ハウジング１３に設けられた板状部材収容部１５に収容されて、ハウジング１３内に配された状態とされるとともに、フレキシブル印刷配線基板１２の回路構成部５７がハウジング１３外に配された状態とされる。このとき、板状部材収容部１５に収容されたフレキシブル印刷配線基板１２の端子端部５３は、板状部材収容部１５内において、複数の第１のコンタクト１６の夫々におけるビーム部３６の板状部材差込み部１４側の部分とビーム部３７の板状部材差込み部１４側の部分との間、及び、複数の第２のコンタクト１７の夫々における固定部を成すビーム部の板状部材差込み部１４側の部分と作動部を成すビーム部の板状部材差込み部１４側の部分との間に配される。
【００４４】
このようにして、フレキシブル印刷配線基板１２の端子端部５３がハウジング１３内に配されたもとにあっては、ハウジング１３に配列配置された複数の第１のコンタクト１６が、フレキシブル印刷配線基板１２の端子端部５３における複数の第１の接続端子部５１に夫々適正に対応する位置をとるものとされるとともに、ハウジング１３に配列配置された複数の第２のコンタクト１７が、フレキシブル印刷配線基板１２の端子端部５３における複数の第２の接続端子部５２に夫々適正に対応する位置をとるものとされる。
【００４５】
また、このとき、図４に示されるように、フレキシブル印刷配線基板１２における一対の側縁部の一方に形成された突出片部を成す被係合部５５に、ハウジング１３の端部１８に配された固定金属部材２０に設けられた係合係止部４３が係合するとともに、ハウジング１３の端部１８に形成された溝部４６が係合する。その際、係合係止部４３は、フレキシブル印刷配線基板１２の側縁部に形成された被係合部５５におけるフレキシブル印刷配線基板１２の厚み方向において相互対向する一対の面の一方に当接して、被係合部５５の浮上り変位を規制する。また、溝部４６は、それにフレキシブル印刷配線基板１２の側縁部に形成された被係合部５５が入り込むものとされて、それにより、被係合部５５のフレキシブル印刷配線基板１２の厚み方向の変位を規制する。
【００４６】
さらに、フレキシブル印刷配線基板１２における一対の側縁部の他方に形成された突出片部を成す被係合部５６に、ハウジング１３の端部１９に配された固定金属部材２１に設けられた係合係止部４５が係合するとともに、ハウジング１３の端部１９に形成された溝部が係合する。その際、係合係止部４５は、フレキシブル印刷配線基板１２の側縁部に形成された被係合部５６におけるフレキシブル印刷配線基板１２の厚み方向において相互対向する一対の面の一方に当接して、被係合部５６の浮上り変位を規制する。また、ハウジング１３の端部１９に形成された溝部は、それにフレキシブル印刷配線基板１２の側縁部に形成された被係合部５６が入り込むものとされて、それにより、被係合部５６のフレキシブル印刷配線基板１２の厚み方向の変位を規制する。
【００４７】
このようにして、フレキシブル印刷配線基板１２の一対の側縁部の一方に形成された被係合部５５が固定金属部材２０に設けられた係合係止部４３及びハウジング１３の端部１８に形成された溝部４６による規制を受けるとともに、フレキシブル印刷配線基板１２の一対の側縁部の他方に形成された被係合部５６が固定金属部材２１に設けられた係合係止部４５及びハウジング１３の端部１９に形成された溝部による規制を受けることにより、板状部材差込み部１４を通じたハウジング１３への挿入が完了して、端子端部５３がハウジング１３内に配されるとともに回路構成部５７がハウジング１３外に配されたフレキシブル印刷配線基板１２におけるハウジング１３外に配された回路構成部５７に、後述される図９に示されるように、板状部材差込み部１４の外面部分あるいはその近傍を支点にした煽り変位がもたらされる場合においても、フレキシブル印刷配線基板１２におけるハウジング１３内に配された端子端部５３が、フレキシブル印刷配線基板１２におけるハウジング１３外に配された回路構成部５７の煽り変位に起因して生じる、不所望な変形が軽減されることになる。
【００４８】
その後、アクチュエータ２５が、第１の静止位置から第２の静止位置へとハウジング１３に対して回動せしめられ、図８〜図１０に示されるように、第２の静止位置をとるものとされると、ハウジング１３に挿入されたフレキシブル印刷配線基板１２に対して、ハウジング１３に配列配置された複数の第１のコンタクト１６及び複数の第２のコンタクト１７が押圧係合する状態がとられる。このようなハウジング１３に挿入されたフレキシブル印刷配線基板１２に対する複数の第１のコンタクト１６及び複数の第２のコンタクト１７の押圧係合は、複数の第１のコンタクト１６が、板状部材収容部１５に収容されたフレキシブル印刷配線基板１２の端子端部５３における複数の第１の接続端子部５１に、夫々押圧接触するものとされるとともに、複数の第２のコンタクト１７が、板状部材収容部１５に収容されたフレキシブル印刷配線基板１２の端子端部５３における複数の第２の接続端子部５２に、夫々押圧接触するものとされることによりなされる。
【００４９】
斯かる際においては、先ず、アクチュエータ２５が第１の静止位置をとり、ハウジング１３に板状部材差込み部１４を通じて挿入されたフレキシブル印刷配線基板１２の端子端部５３が、ハウジング１３に設けられた板状部材収容部１５内において、複数の第１のコンタクト１６の夫々における固定部を成すビーム部３６の板状部材差込み部１４側の部分と作動部を成すビーム部３７の板状部材差込み部１４側の部分との間、及び、複数の第２のコンタクト１７の夫々における固定部を成すビーム部の板状部材差込み部１４側の部分と作動部を成すビーム部の板状部材差込み部１４側の部分との間に配されたもとにおいて、第１の静止位置をとるアクチュエータ２５が、回動操作されることにより、第１の静止位置から第２の静止位置に移行すべく回動せしめられ、ハウジング１３に対して伏した状態におかれる。それにより、アクチュエータ２５の第１の静止位置から第２の静止位置への移行に伴って、図１０に示されるように、アクチュエータ２５に設けられた複数のカム部２７のうちの一つおきのものの夫々が、その極大寸法部を、対応する第１のコンタクト１６におけるビーム部３６の部分３６ａとビーム部３７の端部３７ａとの両者に係合させる。
【００５０】
第１のコンタクト１６におけるビーム部３６の部分３６ａとビーム部３７の端部３７ａとの両者に係合するカム部２７の極大寸法部は、ビーム部３７の端部３７ａをビーム部３６の端部３６ａから離隔させる方向に変位させて、ビーム部３７に、仮にフレキシブル印刷配線基板１２の端子端部５３が板状部材収容部１５に収容されていないとすれば、ビーム部３６の端部３６ｂとビーム部３７の端部３７ｂとが板状部材収容部１５内において形成する相互間間隔を狭めることになる応力を作用させる。それにより、ビーム部３７は、その端部３７ｂが板状部材収容部１５に収容されたフレキシブル印刷配線基板１２の端子端部５３における複数の第１の接続端子部５１のうちの対応するものに押圧接触することになり、複数の第１のコンタクト１６の夫々が、複数の第１の接続端子部５１のうちの対応するものに対する接触接続状態におかれる。それにより、板状部材収容部１５に収容されたフレキシブル印刷配線基板１２の端子端部５３における複数の第１の接続端子部５１の夫々が、対応する第１のコンタクト１６を通じて、ハウジング１３が配された配線基板１１に設けられた配線部に電気的に接続されることになる。
【００５１】
また、アクチュエータ２５の第１の静止位置から第２の静止位置への移行に伴って、アクチュエータ２５に設けられた複数のカム部２７のうちの他の一つおきのものの夫々が、その極大寸法部を対応する第２のコンタクト１７における固定部を成すビーム部のハウジング１３の背面側端縁部側の端部と作動部を成すビーム部のハウジング１３の背面側端縁部側の端部との両者に係合させる。
【００５２】
第２のコンタクト１７における固定部を成すビーム部のハウジング１３の背面側端縁部側の端部と作動部を成すビーム部のハウジング１３の背面側端縁部側の端部の近傍となる部分との両者に係合するカム部２７の極大寸法部は、作動部を成すビーム部の板状部材差込み部１４側の端部を固定部を成すビーム部の板状部材差込み部１４側の端部から離隔させる方向に変位させて、作動部を成すビーム部に、仮にフレキシブル印刷配線基板１２の端子端部５３が板状部材収容部１５に収容されていないとすれば、固定部を成すビーム部の板状部材差込み部１４側の端部と作動部を成すビーム部の板状部材差込み部１４側の端部とが板状部材収容部１５内において形成する相互間間隔を狭めることになる応力を作用させる。それにより、作動部を成すビーム部は、その板状部材差込み部１４側の端部が板状部材収容部１５に収容されたフレキシブル印刷配線基板１２の端子端部５３における複数の第２の接続端子部５２のうちの対応するものに押圧接触することになり、複数の第２のコンタクト１７の夫々が、複数の第２の接続端子部５２のうちの対応するものに対する接触接続状態におかれる。それにより、板状部材収容部１５に収容されたフレキシブル印刷配線基板１２の端子端部５３における複数の第２の接続端子部５２の夫々が、対応する第２のコンタクト１７を通じて、ハウジング１３が配された配線基板１１に設けられた配線部に電気的に接続されることになる。
【００５３】
斯かる際、図８に示されるように、固定金属部材２０に設けられた係合係止部４３がフレキシブル印刷配線基板１２における一対の側縁部のうちの一方に形成された被係合部５５に係合する部位と固定金属部材２１に設けられた係合係止部４５がフレキシブル印刷配線基板１２における一対の側縁部のうちの他方に形成された被係合部５６に係合する部位とを結ぶ仮想線ＩＬが、ハウジング１３に配列配置された複数の第１のコンタクト１６及び複数の第２のコンタクト１７がフレキシブル印刷配線基板１２の端子端部５３に配列配置された複数の第１の接続端子部５１及び複数の第２の接続端子部５２に接触接続されるハウジング１３内の部位より、ハウジング１３における板状部材差込み部１４の外方側に位置することになる。それにより、板状部材差込み部１４を通じたハウジング１３への挿入が完了して、端子端部５３がハウジング１３内に配されるとともに回路構成部５７がハウジング１３外に配されたフレキシブル印刷配線基板１２において、ハウジング１３に挿入されたフレキシブル印刷配線基板１２が煽り変位を生じた状態を示す部分斜視図である図９に示されるように、ハウジング１３外に配された回路構成部５７が板状部材差込み部１４の外面部分あるいはその近傍を支点にした煽り変位を生じた場合においても、斯かるハウジング１３外に配された回路構成部５７（ハウジング外突出部分）の煽り変位が及ぼす、ハウジング１３内における複数の第１のコンタクト１６及び複数の第２のコンタクト１７のフレキシブル印刷配線基板１２の端子端部５３に配列配置された複数の第１の接続端子部５１及び複数の第２の接続端子部５２との接触接続状態に対する悪影響が、効果的に軽減されることになる。
【００５４】
上述のようなコネクタ装置１０が配線基板１１に固着されて用いられ、それに配線板状部材を成すフレキシブル印刷配線基板１２が装着されるもとにあっては、フレキシブル印刷配線基板１２の板状部材差込み部１４を通じたハウジング１３への挿入が完了すると、ハウジング１３に設けられた一対の固定金属部材２０及び２１に夫々設けられた一対の係合係止部４３及び４５が、フレキシブル印刷配線基板１２の接続端子配列方向における一対の側縁部に突出片部を成すものとして形成された被係合部５５及び５６に夫々係合して、ハウジング１３に挿入されたフレキシブル印刷配線基板１２におけるハウジング１３内に配された端子端部５３が当該フレキシブル印刷配線基板１２におけるハウジング１３外に配された回路構成部５７の煽り変位に起因して生じる不所望な変形を軽減する状態におかれる。
【００５５】
それにより、ハウジング１３に挿入されたフレキシブル印刷配線基板１２におけるハウジング外突出部分である回路構成部５７が板状部材差込み部１４の外面部分あるいはその近傍を支点にした煽り変位を生じた場合においても、その煽り変位に起因してフレキシブル印刷配線基板１２におけるハウジング１３内に配された端子端部５３にもたらされる不所望な変形が軽減され、その結果、フレキシブル印刷配線基板１２とコネクタ装置１０との電気的接続を適正に維持できて、コネクタ装置１０が配された配線基板１１に対するフレキシブル印刷配線基板１２の取付けに支障が来される事態を回避できることになる。
【００５６】
さらに、コネクタ装置１０にあっては、ハウジング１３における板状部材差込み部１４をコンタクト配列方向において挟む一対の端部１８及び１９において、端部１８におけるそれに配された固定金属部材２０に設けられた係合係止部４３からフレキシブル印刷配線基板１２の板状部材差込み部１４への差込み方向に離隔した位置に溝部４６が形成されていて、固定金属部材２０に設けられた係合係止部４３に加えて、ハウジング１３の端部１８に形成された溝部４６も、ハウジング１３に挿入されたフレキシブル印刷配線基板１２の一対の側縁部のうちの一方に突出片部を成すものとして形成された被係合部５５に係合し、また、端部１９におけるそれに配された固定金属部材２１に設けられた係合係止部４５からフレキシブル印刷配線基板１２の板状部材差込み部１４への差込み方向に離隔した位置に溝部が形成されていて、固定金属部材２１に設けられた係合係止部４５に加えて、ハウジング１３の端部１９に形成された溝部も、ハウジング１３に挿入されたフレキシブル印刷配線基板１２の一対の側縁部のうちの他方に突出片部を成すものとして形成された被係合部５６に係合する。それにより、ハウジング１３に挿入されたフレキシブル印刷配線基板１２におけるハウジング１３内に配された端子端部５３が当該フレキシブル印刷配線基板１２におけるハウジング外突出部分である回路構成部５７の煽り変位に起因して生じる不所望な変形の軽減を、より一層効果的かつ確実に行うことができることになる。
【産業上の利用可能性】
【００５７】
以上のような本願発明に係るコネクタ装置は、フレキシブル印刷配線基板やフレキシブル平板状ケーブル等とされる配線板状部材の他の配線基板への取付けに用いられる、板状部材差込み部が設けられたハウジングとハウジング内に配列配置されて設けられる複数のコンタクトとを備えたコネクタ装置であって、配線板状部材が板状部材差込み部を通じてハウジングに挿入され、複数のコンタクトが配線板状部材における複数の接続端子部に夫々接触接続されて実用に供される際に、配線板状部材におけるハウジング外に配された部分が板状部材差込み部の外面部分あるいはその近傍を支点にした煽り変位を生じた場合においても、その煽り変位に起因して配線板状部材におけるハウジング内に配された部分にもたらされる不所望な変形を軽減することができるものとして、様々な電子機器等に広く適用され得るものである。
【符号の説明】
【００５８】
１０・・・コネクタ装置，  １１・・・配線基板、  １２・・・フレキシブル印刷配線基板，  １３・・・ハウジング，  １４・・・板状部材差込み部，  １５・・・板状部材収容部，  １６・・・第１のコンタクト，  １７・・・第２のコンタクト，  １８，１９・・・（ハウジング１３の）端部，  ２０，２１・・・固定金属部材，  ２５・・・アクチュエータ，  ２６・・・透孔，  ２７・・・カム部，  ３５・・・連結部，  ３６，３７・・・ビーム部，  ４１・・・本体部，  ４２・・・基板接続部，  ４３，４５・・・係合係止部，  ４４・・・係合部，  ４６・・・溝部，  ５１・・・第１の接続端子部，  ５２・・・第２の接続端子部，  ５３・・・端子端部，  ５４・・・先端部，  ５５，５６・・・被係合部，  ５７・・・回路構成部
【図１】
2017059352.tif 000003
【図２】
2017059352.tif 000004
【図３】
2017059352.tif 000005
【図４】
2017059352.tif 000006
【図５】
2017059352.tif 000007
【図６】
2017059352.tif 000008
【図７】
2017059352.tif 000009
【図８】
2017059352.tif 000010
【図９】
2017059352.tif 000011
【図１０】
2017059352.tif 000012